(57)【特許請求の範囲】
【請求項１】
一対のビード部間に跨ってトロイド状に延在する少なくとも１層のカーカスを骨格とし、該カーカスのクラウン部タイヤ半径方向外側に、タイヤ周方向に対し傾斜して配列された複数本のスチールコードをゴム被覆してなる少なくとも２層のベルト層を備える空気入りタイヤにおいて、
前記スチールコードが、２本のコア素線と、該コア素線の周囲に撚り合わされた６本のシース素線とからなり、前記ベルト層内で隣り合う該スチールコード同士の間隔が１．０９ｍｍ以上１．５０ｍｍ以下であり、かつ、前記ベルト層のゲージが、１．２０ｍｍ以上１．６０ｍｍ以下であることを特徴とする空気入りタイヤ。
【請求項２】
前記スチールコードにおいて、前記コア素線が撚り合わされることなく並列して配置されている請求項１記載の空気入りタイヤ。
【請求項３】
前記スチールコードにおいて、前記コア素線の線径ｄｃと前記シース素線の線径ｄｓとが異なる請求項１または２記載の空気入りタイヤ。
【請求項４】
前記コア素線の線径ｄｃと前記シース素線の線径ｄｓとの比率がｄｓ／ｄｃ＞１．２を満足する請求項３記載の空気入りタイヤ。
【発明の詳細な説明】
【技術分野】
【０００１】
本発明は空気入りタイヤ（以下、単に「タイヤ」とも称する）に関し、詳しくは、高内圧・高荷重で使用される大型乗用車用タイヤやエクストラロードタイヤとして好適に使用される空気入りタイヤに関する。
【背景技術】
【０００２】
近年、車両の大型化に伴って、大型乗用車タイヤのニーズも増大している。また、タイヤ性能および外観性の向上に対するユーザーの要請を受けて、高内圧・高荷での使用が可能な、いわゆるエクストラロードタイヤの設定が増加してきている。
【０００３】
このようなエクストラロードタイヤや大型乗用車用タイヤのベルトコードないしベルトトリートに求められる性能としては、プランジャーエネルギーに係る法規制や、耐ベルト端部セパレーション（ベルトエッヂセパレーション，以下、「ＢＥＳ」とも称する）性に代表される耐久性が挙げられる。
【０００４】
このうちプランジャーエネルギーは、タイヤ全体の設計によって決まり、ベルト材の変更のみでは決まらないが、ベルト強力の影響も大きいため、ベルト強力を高くすることでプランジャーエネルギーの向上にも寄与できる。また、空気入りタイヤに交錯ベルト層が用いられていれば、２層のベルト層間で層間せん断歪は発生し、結果としてＢＥＳが発生する。特に、かかる大型乗用車用タイヤやエクストラロードタイヤは、高内圧・高荷重等の過酷な環境下での使用が想定されるため、ベルト層端部のせん断歪が通常のタイヤより高くなり、通常のタイヤと同じ材料や構造とした場合、ＢＥＳが発生しやすいという問題がある。
【０００５】
また、一般にタイヤ用スチールコードには、ゴムペネ性が良好であること、および、軽量かつ安価性であることが求められる。このうち前者のゴムペネ性は、釘等によってタイヤにカット入力が入った際のコードにおける腐食の進展を抑制するために重要である。また、後者については、地球環境重視の観点から、３Ｒの一つであるリデュース（ＲＥＤＵＣＥ）に貢献するためには、軽量であるほど、使用する材料が少ないことを意味し、省資源となる。また、軽量であっても、高価な材料を用いると一般に普及することは困難となるので、コスト性も求められる。
【０００６】
ベルトの補強部材としてのスチールコードに係る改良技術としては、例えば、特許文献１に、２本の素線からなるコアと、このコアの周辺に巻つけられた６本の素線からなるシースとからなり、コアの撚り合わせピッチの平均が３０ｍｍ以上であり、かつコアを構成する素線の直径ｄｃに対する上記シースの素線の直径ｄｓの比率（（ｄｓ／ｄｃ）×１００）が５８．０％＜ｄｓ／ｄｃ＜１６１．５％の範囲であるゴム物品補強用スチールコードが開示されている。また、特許文献２には、同径の２本のフィラメントを撚り合わせずに並置してなるコアと、このコアの周りに巻き付けたコアフィラメントと同径の６本のフィラメントからなるシースとを有し、シースフィラメントの相互間に隙間を有し、かついずれか少なくとも２つの隙間はフィラメント径ｄに関し１／３ｄ以上の間隔を有する、シースフィラメントの配置が、シースの１撚り長さ毎に少なくとも１度は現出するスチールコードが開示されている。
【０００７】
さらに、特許文献３には、２本のコア素線を撚り合わせることなく並列して配置したコアと、その周囲に撚り合わされた５〜７本のシース素線とからなり、コード断面形状が略楕円形であって、コア素線の直径ｄｃ（ｍｍ）が０．０５≦ｄｃ＜０．２６の範囲を満足し、シース素線の直径ｄｓ（ｍｍ）が０．０５≦ｄｓ＜０．２６の範囲を満足し、かつ、コア素線の直径ｄｃとシース素線の直径ｄｓとの比ｄｃ／ｄｓが０．７＜ｄｃ／ｄｓ＜１の関係を満足するゴム物品補強用スチールコードが開示されている。さらにまた、特許文献４には、交錯ベルト層に適用されるスチールコードとして、素線径０．１０〜０．２０ｍｍのスチール素線６〜１０本からなる単撚り構造またはコア−単層シース構造を有するものを用い、その打ち込み本数を４０本／５０ｍｍ以上とし、かつ、ベルト層内で隣接するスチールコード間の距離を０．３ｍｍ以上とした空気入りラジアルタイヤが開示されている。
【先行技術文献】
【特許文献】
【０００８】
【特許文献１】特開平９−１５８０６６号公報（特許請求の範囲等）
【特許文献２】特開２００５−１２０４９１号公報（特許請求の範囲等）
【特許文献３】特開２００７−６３７２４号公報（特許請求の範囲等）
【特許文献４】特開２００７−９０９３７号公報（特許請求の範囲等）
【発明の概要】
【発明が解決しようとする課題】
【０００９】
上述のように、タイヤのベルト補強材として用いられるスチールコードについては、従来より種々の構成が提案されてきている。しかしながら、上述したような、大型乗用車用タイヤやエクストラロードタイヤに対する各種要請を満足しうる技術については、未だ十分なものが存在しなかった。
【００１０】
そこで、本発明の目的は、上記問題を解決して、特に大型乗用車用タイヤやエクストラロードタイヤとして好適なタイヤとして、タイヤの軽量性を確保しつつ、プランジャーエネルギーおよび耐ＢＥＳ性の向上を図った空気入りタイヤを提供することにある。
【課題を解決するための手段】
【００１１】
本発明者は鋭意検討した結果、ベルト層に特定構造のスチールコードを用いるとともに、ベルト層内で隣り合うスチールコード同士の間隔と、ベルト層のゲージとを、それぞれ所定の範囲に規定することで、上記問題を解消できることを見出して、本発明を完成するに至った。
【００１２】
すなわち、本発明の空気入りタイヤは、一対のビード部間に跨ってトロイド状に延在する少なくとも１層のカーカスを骨格とし、該カーカスのクラウン部タイヤ半径方向外側に、タイヤ周方向に対し傾斜して配列された複数本のスチールコードをゴム被覆してなる少なくとも２層のベルト層を備える空気入りタイヤにおいて、
前記スチールコードが、２本のコア素線と、該コア素線の周囲に撚り合わされた６本のシース素線とからなり、前記ベルト層内で隣り合う該スチールコード同士の間隔が１．０９ｍｍ以上１．５０ｍｍ以下であり、かつ、前記ベルト層のゲージが、１．２０ｍｍ以上１．６０ｍｍ以下であることを特徴とするものである。
【００１３】
本発明のタイヤにおいては、前記スチールコードにおいて、前記コア素線が撚り合わされることなく並列して配置されていることが好ましい。また、前記スチールコードにおいて、前記コア素線の線径ｄｃと前記シース素線の線径ｄｓとが異なることも好ましく、この場合、好適には、前記コア素線の線径ｄｃと前記シース素線の線径ｄｓとの比率がｄｓ／ｄｃ＞１．２を満足するものとする。
【発明の効果】
【００１４】
本発明によれば、上記構成としたことにより、特に大型乗用車用タイヤやエクストラロードタイヤとして好適なタイヤとして、軽量性を確保しつつ、プランジャーエネルギーおよび耐ＢＥＳ性の向上を図った空気入りタイヤを実現することが可能となった。
【図面の簡単な説明】
【００１５】
【図１】本発明の空気入りタイヤの一例を示す幅方向断面図である。
【図２】（ａ），（ｂ）は、コード内におけるシース素線の分散状態を示す幅方向断面図である。
【図３】実施例で用いたスチールコードを示す概略断面図である。
【図４】実施例で用いた他のスチールコードを示す概略断面図である。
【図５】実施例で用いたさらに他のスチールコードを示す概略断面図である。
【発明を実施するための形態】
【００１６】
以下、本発明の実施の形態について、図面を参照しつつ詳細に説明する。
図１に、本発明の空気入りタイヤの一例の幅方向断面図を示す。図示するように、本発明の空気入りタイヤは、一対のビード部１１間に跨ってトロイド状に延在する１層のカーカス１を骨格とし、そのクラウン部のタイヤ半径方向外側に、２層のベルト層２ａ，２ｂを備えている。
【００１７】
カーカス１は、図示する例では１層であるが、２層以上であってもよく、好適には１〜２層とする。また、ベルト層２ａ，２ｂは、タイヤ周方向に対し、例えば、１５〜４０°の角度で傾斜して配列された複数本のスチールコードをゴム被覆してなり、図示する例では２層であるが、３層以上でもよく、例えば、２〜４層にて設けることができる。
【００１８】
本発明においては、かかるベルト層２ａ，２ｂに用いるスチールコードとして、２本以上のコア素線と、その周囲に撚り合わされた５〜７本のシース素線とからなるＭ＋Ｎ構造（Ｍ≧２，Ｎ＝５〜７）のものを用いる。後述するようにベルト層内で隣り合うスチールコード同士の間隔を確保した上で、ベルトの総強力を確保するためには、コード１本に撚り合わせる素線の本数は多いほうがよい。この点、１×Ｎ構造のコードにおいて、フィラメントの本数を例えば７本以上に多くすると、コード性状の確保が難しくなってしまう。これに対し、Ｍ＋Ｎ構造のコードでは、１×Ｎ構造の場合に比べて、撚り合わせるフィラメントの本数を多くすることが可能であるので、総強力の確保が容易となる。
【００１９】
コア素線の本数は２本以上であればよいが、３本以上の場合、適切な性状を保つのが困難となる場合があるため、好ましくは２本である。また、コア素線は、互いに撚り合わせてもよいが、撚り合わせずに並列して配置したほうが、ゴム被覆してトリートとした際のゲージを薄くできるので、重量を軽く保てるため、好ましい。さらに、複撚り構造では、ゲージが厚くなるため重くなることに加え、コード単体のコストも高くなるため、本発明では上記Ｍ＋Ｎ構造を用いている。
【００２０】
本発明において、スチールコードのコード径やコア素線およびシース素線の線径については特に制限はないが、好適には、コア素線の線径ｄｃとシース素線の線径ｄｓとが異なるものとする。特には、シース素線の線径をコア素線よりも大きくすることで、コード内部にゴムが均一に浸透するために十分なだけのシース素線間の隙間を確保することができ、また、撚られていないコア素線が、コードとしての疲労耐久性や変形追従性を損なうおそれがなくなる。より好適には、コア素線の線径ｄｃと前記シース素線の線径ｄｓとの比率が、ｄｓ／ｄｃ＞１．２、特には、シース素線の本数が５本の場合には２．７＞ｄｓ／ｄｃ＞１．２、シース素線の本数が６本の場合には１．８＞ｄｓ／ｄｃ＞１．２、シース素線の本数が７本の場合には１．３＞ｄｓ／ｄｃ＞１．２を満足するものとする。コア素線を細く、シース素線を太くすることで、図２（ａ）に示すようなＭ＋Ｎ構造のコード断面におけるシース素線２１の偏りを防止して、図２（ｂ）に示すように、コア素線２２の周囲でシース素線２１を適度に分散させることができ、ゴムペネ性を良好とすることができる。また、コードを薄くして、軽量化する効果も得られる。さらにまた、本発明においては、上記スチールコードの長径と短径とが、長径／短径＞１．１０を満足することも好ましく、これにより、コード断面を扁平形状にすることができ、強力と重量とを、より高度に両立させることが可能となる。
【００２１】
また、本発明においては、ベルト層２ａ，２ｂ内で隣り合うスチールコード同士の間隔を、１．０ｍｍを超え１．５０ｍｍ以下とする。上記Ｍ＋Ｎ構造のスチールコードを用いてコード間隔を通常よりも広い１．０ｍｍを超える範囲とすることで、特に本発明を、エクストラロードタイヤ等のような過酷な条件下で使用されるタイヤに適用した場合においても、ＢＥＳの発生を効果的に抑制することが可能となる。上記コード間隔が１．０ｍｍ以下であると、耐ＢＥＳ性が悪化してしまい、１．５０ｍｍを超えると、ベルトの剛性が低下し、形状保持性などタイヤとしての諸性能に問題が生ずるため、いずれにおいても本発明の所期の効果を得ることができない。なお、本発明において上記コード間隔とは、スチールコードの垂直方向断面から観察した場合のコード間距離をいう。また、本発明において、ベルト層２ａ，２ｂにおけるスチールコードの打込み数は、上記コード間隔を満足するものであれば、特に制限されるものではない。
【００２２】
さらに、本発明においては、ベルト層２ａ，２ｂのゲージを、１．２０ｍｍ以上１．６０ｍｍ以下とする。ベルト層のゲージが１．２０ｍｍ未満であると、変形時の層間歪が大きくなり、耐ＢＥＳ性が悪化してしまい、１．６０ｍｍを超えると、重量が増大しすぎるため、いずれにおいても本発明の所期の効果を得ることができない。
【００２３】
本発明のタイヤにおいては、上記Ｍ＋Ｎ構造のスチールコードを用い、かつ、上記コード間隔およびベルト層のゲージの条件を満足するものとすることで、軽量性を確保しつつ、プランジャーエネルギーおよび耐ＢＥＳ性の向上を図ることができる。本発明は、特に、大型乗用車用タイヤやエクストラロードタイヤなどのような過酷な条件下で使用されるタイヤに適用した場合においても、軽量性やプランジャーエネルギーを損なうことなく耐ＢＥＳ性を確保できる点で有利である。
【００２４】
本発明においては、上記ベルト層に係る条件を満足する以外の点については特に制限はなく、それ以外のタイヤ構造の詳細や各部材の材質などについては特に制限されず、従来公知のもののうちから適宜選択して構成することができる。
【００２５】
例えば、図示する例では、ベルト層２ａ，２ｂのタイヤ半径方向外側に、キャップ層３と、レイヤー層４とが配設されているが、これらの配置は本発明においては任意であり、設けなくてもよい。これらキャップ層３およびレイヤー層４は、いずれもタイヤ周方向に対し実質的に平行に配列された有機繊維コードをゴム引きしてなり、図示するように、このうちキャップ層３はベルト層２ａ，２ｂの全幅以上にわたり少なくとも１層にて配置され、レイヤー層４はベルト層２ａ，２ｂの両端領域に少なくとも１層にて配置される。
【００２６】
また、図示するように、本発明のタイヤの一対のビード部１１には夫々ビードコア５が埋設され、カーカス１はこのビードコア５の周りにタイヤ内側から外側に折り返して係止されている。さらに、ベルト層２ａ，２ｂのクラウン部外周にはトレッド部１２が、カーカス１のサイド部にはサイドウォール部１３が、夫々配置されている。さらにまた、トレッド部１２の表面には適宜トレッドパターンが形成されており、最内層にはインナーライナー（図示せず）が形成されている。さらにまた、本発明のタイヤにおいて、タイヤ内に充填する気体としては、通常の又は酸素分圧を変えた空気、もしくは窒素等の不活性ガスを用いることができる。
【実施例】
【００２７】
以下、本発明を、実施例を用いてより詳細に説明する。
各実施例および比較例の空気入りタイヤを、タイヤサイズ２６５／７０Ｒ１６にて、下記表中に示す条件に従いそれぞれ作製した。カーカスは１層とし、プライコードの材質にはポリエステルを用いた。２層のベルト層は、コード角度がタイヤ周方向に対し±２６°となるよう互いに交錯させて配置した。図３に、比較例１，３の１×５構造のスチールコードの概略断面図を、図４に、比較例２，４の１＋６構造のスチールコードの概略断面図を、図５に、比較例５および実施例１〜６の２＋６構造のスチールコードの概略断面図を、それぞれ示す。
【００２８】
得られた各供試タイヤについて、下記に従い耐ＢＥＳ性および単位面積あたりのベルト重量の評価を行った。その結果を、下記表中に併せて示す。
【００２９】
（耐ＢＥＳ性の評価）
各供試タイヤをＪＡＴＭＡで規定する正規リムに組みつけ、内圧２２０ｋＰａを充填して、９５５ｋｇの荷重を負荷した状態で試験ドラムに押し付け、時速９０ｋｍ／ｈにてベルト端部に故障（セパレーション）が発生するまで走行させた。結果は、故障が発生するまでの走行距離を測定し、比較例１のタイヤが故障を発生するまでの走行距離を４４とする指数にて示した。数値が大きい程、ＢＥＳを発生するまでの走行距離が長く、耐久性に優れていることを表す。
【００３０】
（ベルト重量の評価）
各ベルトの単位面積当たりの重量を測定して、比較例１の重量を１００とする指数にて示した。数値が小さいほど、軽量性に優れていることを表す。
【００３１】
また、得られた各供試タイヤについて、ベルト総強力を求めて、比較例１を１００とする指数にて示した。数値が大きいほど、ベルト総強力が高く、耐久性に優れているといえる。その結果に基づき、プランジャーエネルギーを評価し、数値が１１５以上の場合を◎、１０６〜１１４の場合を○、１０５以下の場合を×とした。さらに、耐ＢＥＳ性については、数値が１１５以上の場合を◎、８６〜１１４の場合を○、８５以下の場合を×とした。さらにまた、ベルト層の単位重量については、数値が１０９以下の場合を◎、１１０〜１３０の場合を○、１３１以上の場合を×とした。これらの評価結果に基づき、総合評価として、×がなく◎が２つ以上の場合を◎、×がなく◎が１つの場合を○、×がある場合を×とした。これらの結果を、下記表中に併せて示す。
【００３２】
【表１】
0005587739.tif 000002
【００３３】
上記表中に示すように、本発明の条件を満足する各実施例においては、プランジャーエネルギーおよび耐ＢＥＳ性がいずれも良好であって、かつ、軽量性が確保されていることが確かめられた。
【符号の説明】
【００３４】
１  カーカス
２ａ，２ｂ  ベルト層
３  キャップ層
４  レイヤー層
５  ビードコア
１１  ビード部
１２  トレッド部
１３  サイドウォール部
【図１】
0005587739.tif 000003
【図２】
0005587739.tif 000004
【図３】
0005587739.tif 000005
【図４】
0005587739.tif 000006
【図５】
0005587739.tif 000007